(57)【要約】【課題】  合成樹脂製で一体成形したキャビネット本体の形状的な制約を受けることなく照明器具、扉を配置できる。照明カバーの取付けが簡単且つ正確に行える。【解決手段】  断面コ字状をした縦フレーム２を横方向に間隔をあけて複数本配設して縦フレーム２間を収納部６とする。隣接する縦フレーム２間の収納部の前開口を開閉する扉３を設けると共に該扉３の一側端部を縦フレーム２に回動自在に取付ける。断面コ字状をした縦フレーム２内に照明器具４を配置する。断面コ字状の縦フレーム２の前開口に照明カバー５を取付ける。【選択図】        図１
2005066122.tif 000002
【特許請求の範囲】
【請求項１】
断面コ字状をした縦フレームを横方向に間隔をあけて複数本配設して縦フレーム間を収納部とし、隣接する縦フレーム間の収納部の前開口を開閉する扉を設けると共に該扉の一側端部を縦フレームに回動自在に取付け、断面コ字状をした縦フレーム内に照明器具を配置し、断面コ字状の縦フレームの前開口に照明カバーを取付けて成ることを特徴とする照明付き収納体の構造。
【請求項２】
断面コ字状の縦フレームの両側板部間に開き防止金具を架設して取付けると共に、断面コ字状をした縦フレームの両側板部と開き防止金具の両側部片との間に断面コ字状をした照明カバーの両側片を嵌め込んで固着具により取付けることを特徴とする請求項１記載の照明付き収納体の構造。
【請求項３】
隣接する縦フレーム間の収納部の前開口を開閉する扉を設けると共に該扉の一側端部を縦フレームに回動自在に取付け、両側に位置する縦フレームの外側に外側扉を配置すると共に該外側扉の一側端部を縦フレームに回動自在に取付けて成ることを特徴とする請求項１又は請求項２記載の照明付き収納体の構造。
【発明の詳細な説明】
【技術分野】
【０００１】
本発明は、照明付き収納体の構造に関するものである。
【背景技術】
【０００２】
照明付き収納体として、従来から洗面化粧台等におけるミラーキャビネットが知られている。従来のミラーキャビネットは図５、図６に示すようなものであり、合成樹脂により一体成形したキャビネット本体４０の前面部に収納凹所（図示せず）を設け、この収納凹所の前開口を開閉自在とするミラー４１をキャビネット本体４０に回動自在に取付け、また、キャビネット本体４０の上端部に横長の照明器具取付け部４２を設け、この照明器具取付け部４２に照明器具４３を取付け、更に、照明器具取付け部４２の前方に照明カバー４４を取付けて構成していた。
【０００３】
また、合成樹脂により一体成形したキャビネット本体の前面の両側端部に上下方向に長い縦溝状の照明器具取付け部を形成し、この縦溝状の照明器具取付け部内に照明器具を収納し、縦溝状の照明器具取付け部の前開口に照明カバーを取付けるものも知られている。（例えば、特許文献１参照）
ところが、いずれの従来例においても照明器具は合成樹脂により一体成形したキャビネット本体に設けた照明器具取付け部に照明器具を取付けるものであるため、合成樹脂のキャビネット本体にミラー（扉）、照明器具を取付けた外観の商品構成となり、このように合成樹脂のキャビネット本体が主体となって外観されるため、高級感に乏しいという問題があった。また、照明器具、ミラーの取付け位置も合成樹脂により一体成形したキャビネット本体の形状に制約を受けるという問題がある。
【０００４】
また、従来にあっては、合成樹脂により一体に形成したキャビネット本体の照明器具取付け部を覆うように照明カバーを取付けるには、照明カバーの両側片に設けた係止部を合成樹脂製のキャビネット本体の照明器具取付け部に設けた被係止部に着脱自在に係止して取付けていたが、この場合には着脱自在な係止であるため係止が外れて照明カバーが脱落するおそれがあり、また、キャビネット本体の照明器具取付け部の前方に照明カバーを配置した状態で取付けねじにより取付けるものもあるが、このものにおいては、取付けねじによる取付けに当たって、キャビネット本体の照明器具取付け部の前方に照明カバーが所定位置に位置するように手で保持した状態で取付けねじにより固着する作業を行う必要があり、取付け作業が面倒となるという問題がある。
【０００５】
一方、壁の前面に大型のミラーを直接取付けるものは、合成樹脂のキャビネット本体が無いため、高級感を現出することができるが、ミラーに隣接して照明器具を取付けるには壁に直接取付ける必要があり、ミラーと照明器具との間での収まりが悪いという問題がある。更に、壁に直接ミラーを取付けるものはミラーキャビネットのように開閉自在なミラーの背面側に収納部を設ける構造にできないという問題があった。
【特許文献１】特開２０００−１８４９７４号公報
【発明の開示】
【発明が解決しようとする課題】
【０００６】
本発明は上記の従来の問題点に鑑みて発明したものであって、合成樹脂製で一体成形したキャビネット本体の形状的な制約を受けることなく照明器具、扉を配置でき、しかも、照明カバーの取付けが簡単且つ正確に行える照明付き収納体の構造を提供することを課題とするものである。
【課題を解決するための手段】
【０００７】
上記課題を解決するために本発明に係る照明付き収納体の構造は、断面コ字状をした縦フレーム２を横方向に間隔をあけて複数本配設して縦フレーム２間を収納部６とし、隣接する縦フレーム２間の収納部６の前開口を開閉する扉３を設けると共に該扉３の一側端部を縦フレーム２に回動自在に取付け、断面コ字状をした縦フレーム２内に照明器具４を配置し、断面コ字状の縦フレーム２の前開口に照明カバー５を取付けて成ることを特徴とするものである。
【０００８】
このような構成とすることで、従来のように合成樹脂製のキャビネット本体に照明器具４、扉３を取付けることなく、照明付きの収納体を提供でき、これにより従来のように合成樹脂で一体に成形したキャビネット本体の形状的な制約を受けることないものであり、例えば横巾の異なる複数種類の扉３を用意すると、その中から選択した任意の扉３の横巾に応じて縦フレーム２間の間隔を設定することにより照明器具４、扉３を現場に応じて配置できることになる。また、縦フレーム２は扉３を回動自在に枢支するための部材と、収納部６の内側面を構成する部材と、照明器具４を収納するための部材とを兼用しており、少ない部材点数で従来のように合成樹脂製のキャビネット本体を用いない簡単な構成の照明器具付き収納体を提供できることになる。
【０００９】
また、断面コ字状の縦フレーム２の両側板部７間に開き防止金具８を架設して取付けると共に、断面コ字状をした縦フレーム２の両側板部７と開き防止金具８の両側部片９との間に断面コ字状をした照明カバー５の両側片１０を嵌め込んで固着具１１により取付けることが好ましい。
【００１０】
すなわち、断面コ字状の縦フレーム２は扉３を回動自在に枢支しているため、扉３の開閉により断面コ字状の縦フレーム２が変形する可能性があるが、上記のように断面コ字状の縦フレーム２の両側板部７間に開き防止金具８を架設して取付けることで、断面コ字状の縦フレーム２の両側板部７間が狭くなったり、広くなったりするというような変形を防止し、しかも、断面コ字状をした縦フレーム２の両側板部７と開き防止金具８の両側部片９との間に断面コ字状をした照明カバー５の両側片１０を嵌め込んで固着具１１により取付けるので、縦フレーム２の両側板部７と開き防止金具８の両側部片９との間に断面コ字状をした照明カバー５の両側片１０を嵌め込んで照明カバー５を縦フレーム２に対する正確な位置に容易に位置決めできると共に正確な位置に仮保持ができ、この状態で固着具１１により取付けることで、照明カバー５の取付けが簡単且つ正確に行えるものである。しかも、扉３の開閉の際の縦フレーム２の変形防止を行うための部材である開き防止金具８を利用して上記のように照明カバー５の取付けの位置決め、仮保持ができるので、構成が簡略化できるものである。
【００１１】
また、隣接する縦フレーム２間の収納部６の前開口を開閉する扉３を設けると共に該扉３の一側端部を縦フレーム２に回動自在に取付け、両側に位置する縦フレーム２の外側に外側扉３’を配置すると共に該外側扉３’の一側端部を縦フレーム２に回動自在に取付けることが好ましい。
【００１２】
このような構成とすることで、縦フレーム２間に扉３を配置して縦フレーム２間を前面側が開閉自在な扉３となった収納部６にできるのみならず、両側に位置する縦フレーム２の外側に外側扉３’を配置すると共に該外側扉３’の一側端部を縦フレーム２に回動自在に取付けることで、両側に位置する縦フレーム２の外側方の空間も前面側が開閉自在な扉３’となった収納部６’にできるものである。
【発明の効果】
【００１３】
本発明は、従来のように合成樹脂製のキャビネット本体に照明器具、扉を取付けることなく、照明付きの収納体を提供でき、これにより従来のようにキャビネット本体の形状的な制約を受けることなく、例えば現場に応じて縦フレーム間の間隔を任意に設定することにより照明器具、扉を配置できるものであり、また、縦フレームが扉を回動自在に枢支するための部材と、収納部の内側面を構成する部材と、照明器具を収納するための部材とを兼用し、少ない部材点数で従来のように合成樹脂製のキャビネット本体を用いない簡単な構成の照明器具付き収納体を提供できるものである。
【発明を実施するための最良の形態】
【００１４】
以下、本発明を添付図面に示す実施形態に基いて説明する。
【００１５】
縦フレーム２は両側板部７の後端部間を中央板部１２で一体に連設した断面コ字状をしたアルミニウム等の型材により構成してある。この縦フレーム２の両側板部７の前端部（すなわち前開口側の端部）はそれぞれ内側にＬ字状に折り返した前端縁部１３となっている。この断面コ字状をした縦フレーム２の内部の上端部及び下端部にはそれぞれ開き防止金具８を架設してねじ具等の固着手段１７により固着してある。
【００１６】
開き防止金具８は略コ字状をしており、両側部片９はそれぞれ基部側半部９ａと先端側半部９ｂとが段部９ｃを介して連続した略Ｚ字状をしており、基部側半部９ａは先端側半部９ｂよりも段部９ｃの分だけ内側にずれており、上記固着手段１７により先端側半部９ｂを縦フレーム２の側板部７に固着している。上記のように固着手段１７により先端側半部９ｂを縦フレーム２の側板部７に固着した状態で、両基部側半部９ａが縦フレーム２の両側板部７の前端部の前端縁部１３の内面と小間隙を介して対向し、この小間隙が後述の照明カバー５の両側片１０を差し込んで位置決め決め保持するための嵌め込み用隙間１９となっている。また、縦フレーム２の両側板部７、前端縁部１３にはそれぞれ挿入孔２０が設けてあり、基部側半部９ａにはねじ孔２１が設けてあり、上記挿入孔２０とねじ孔２１とは一直線上に位置している。
【００１７】
断面コ字状をした縦フレーム２内には照明器具４が配置して取付けてある。添付図面に示す実施形態においては、直管型の蛍光灯を縦に配置して取付けてある。
【００１８】
また、断面コ字状をした縦フレーム２の上端開口には図１に示すような化粧カバー２２が取付けられる。
【００１９】
上記の構成の縦フレーム２を部屋の壁面１に横方向に間隔をあけて複数本配設し、縦フレーム２の中央板部１２を木ねじや釘等の固着具１４により壁面１に固着する。添付図面に示す実施形態では壁面１に沿って洗面台１５を設置し、壁面１の洗面台１５を配置した部分の上方位置に横方向に間隔を隔てて２個の縦フレーム２を配置して壁面１に取付けた例が示してあるが、３個以上の縦フレーム２を横方向に間隔を隔てて配設してもよい。
【００２０】
ここで、横方向に隣合う縦フレーム２間の空間は収納部６となっており、この隣接する縦フレーム２間の収納部６の前開口を開閉する扉３の一側端部を丁番１６により縦フレーム２に回動自在に取付けてある。
【００２１】
また、両側に位置する縦フレーム２（添付図面の実施形態のように縦フレーム２を２個設けたものにおいてはこの２個の縦フレーム２）の外側の空間も収納部６’となっており、両側に位置する縦フレーム２の前端の外側にそれぞれ外側扉３’を配置すると共に該外側扉３’の一側端部を縦フレーム２にスライド丁番のような丁番１６により回動自在に取付けてある。扉３、外側扉３’は図３に示すように扉３、外側扉３’を閉じた状態で扉３、外側扉３’の側端部が縦フレーム２の両側板部７の前端縁部１３の前面を覆う位置となるように丁番１６により取付けられるものである。
【００２２】
本実施形態においては扉３、外側扉３’はいずれも表面がミラー３ａとなっている。
【００２３】
照明カバー５は光透過性を有している材料により形成してあり、断面コ字状をしており、両側片１０の上下両端部にそれぞれ孔２３が設けてある。
【００２４】
この照明カバー５を上記内部に照明器具４を内装した断面コ字状をした縦フレーム２の前開口に取付けるのであるが、照明カバー５の取付けに当たっては、断面コ字状をした照明カバー５の両側片１０を縦フレーム２の両側板部７の前端縁部１３と開き防止金具８の両側部片９の基部側半部９ａとの間に形成された嵌め込み用隙間１９に嵌め込んで両側片１０の先端を段部９ｃに当接させる。このようにして照明カバー５を縦フレーム２に対して位置決め保持するのであるが、この位置決め保持状態で、照明カバー５の側片１０に設けた孔２３が縦フレーム２に設けた挿入孔２０と、開き防止金具８に設けたねじ孔２１とに連通する。
【００２５】
したがって、上記のようにして断面コ字状をした縦フレーム２の両側板部７と開き防止金具８の両側部片９との間の嵌め込み用隙間１９に断面コ字状をした照明カバー５の両側片１０を嵌め込んで位置決めして仮保持した状態で、挿入孔２０から固着具１１であるねじ具を挿入して孔２３を通してねじ孔２１に螺合し、これにより照明カバー５の側片１０を縦フレーム２の両側板部７と開き防止金具８の両側部片９とで挟持した状態で縦フレーム２と開き防止金具８とに固着するものである。このように照明カバー５を取付けることで、照明カバー５を正確な位置に簡単に取付けることができ、しかも、取付けが強固にできるものである。
【００２６】
上記のように断面コ字状をした縦フレーム２の前開口に照明カバー５を取付けると、扉３、外側扉３’を閉じた状態では図２、図３に示すように扉３、照明カバー５、外側扉３’のみが露出し、縦フレーム２が露出せず、したがって、扉３、照明カバー５、外側扉３’のみが露出する外観、例えば壁面１にミラーとカバー付きの照明器具を直接取付けたような外観にできるものである。このように、壁面１にミラーとカバー付きの照明器具を直接取付けたような外観にできるものでありながら、一方、扉３や外側扉３’を開くと収納部６、収納部６’を開放することができ、また、扉３や外側扉３’を閉じる収納部６、収納部６’が外部に露出しないようにして上記のように壁面１にミラーとカバー付きの照明器具を直接取付けたような外観にできる。
【００２７】
そして、照明器具４を点灯すると、照明カバー５を通して前方を明るく照らすと共に照明カバー５に隣接する扉３、外側扉３’の表面のミラー３ａを明るく照らしてミラー３ａに鮮明に顔や姿を写し出すことができる。
【００２８】
上記収納部６、収納部６’には棚板２８を設けてもよく、棚板を設ける場合は例えば隣接する縦フレーム２の側板部７間に棚板２８を架設したり、あるいは、両側の縦フレーム２の外側の側板部７に片持ち状に棚板２８を取付けたりする。
【００２９】
ところで、内部に照明器具を４を内装した断面コ字状の縦フレーム２にスライド丁番のような丁番１６により扉３や外側扉３’を枢支して取付けると、扉３や外側扉３’の開閉により断面コ字状の縦フレーム２が変形しやすいものであるが、本発明においては、断面コ字状の縦フレーム２の両側板部７間に開き防止金具８を架設して取付けてあるので、断面コ字状の縦フレーム２の両側板部７間が狭くなったり、広くなったりするというような変形を防止することができるものである。しかもこの扉３の開閉の際の縦フレーム２の変形防止を行うための部材である開き防止金具８を利用して前述のように照明カバー５の取付けの位置決め、仮保持ができるので、構成が簡略化できるものである。
【００３０】
また、縦フレーム２を複数横方向に間隔を隔てて配設するに当たり、横方向に隣合う縦フレーム２間の間隔は縦フレーム２の前端間に配置する扉３の横巾に対応して決まるものであり、このため、扉３の横巾を異なるものを複数種類用意することで、この複数種類の扉３の中から選択した任意の扉３の横巾に応じて縦フレーム２間の間隔を設定することにより照明器具４、扉３を現場に応じて配置できるものである。
【図面の簡単な説明】
【００３１】
【図１】本発明の一実施形態の分解斜視図である。
【図２】同上の要部拡大断面図である。
【図３】同上の扉、外側扉を閉じた状態の全体斜視図である。
【図４】同上の扉、一方の外側扉を開いた状態の斜視図である。
【図５】従来例の斜視図である。
【図６】従来例の照明カバーを取り外した状態の斜視図である。
【符号の説明】
【００３２】
２  縦フレーム
３  扉
３’  外側扉
４  照明器具
５  照明カバー
６  収納部
７  側板部
８  開き防止金具
９  側部片
１０  側片
１１  固着具
【図１】
2005066122.tif 000003
【図２】
2005066122.tif 000004
【図３】
2005066122.tif 000005
【図４】
2005066122.tif 000006
【図５】
2005066122.tif 000007
【図６】
2005066122.tif 000008